(57)【要約】【課題】  簡易な構成でありながら、人間の注意力のみに依存することなく、被管理駅における駅係員の起床を管理駅で確認するのを支援する起床確認支援システムを提供する。【解決手段】  本発明に係る起床確認支援システム１は、被管理駅の駅係員の起床の確認を管理駅で支援するシステムであって、被管理駅の駅係員の操作により起床報告信号５１を発信する起床報告手段２と、被管理駅毎に設定された起床報告時刻迄に起床報告信号５１が発信されない場合、その旨を管理駅の駅係員に知らせる起床情報処理手段３とを備える。起床情報処理手段３は、報知を行う報知手段３４と、起床報告時刻を記憶する記憶手段３３と、ネットワーク４を介して起床報告信号５１を受信する前に起床報告時刻が到来した場合に報知手段３４を作動させる制御手段３２とを有する。【選択図】  図１
2012098904.tif 000002
【特許請求の範囲】
【請求項１】
被管理駅の駅係員の起床の確認を管理駅で支援するシステムであって、
前記被管理駅の駅係員の操作により起床報告信号を発信する起床報告手段と、
前記被管理駅毎に設定された起床報告時刻迄に前記起床報告信号が発信されない場合、その旨を前記管理駅の駅係員に知らせる起床情報処理手段とを備える
ことを特徴とする起床確認支援システム。
【請求項２】
前記起床情報処理手段が、
前記管理駅の駅係員に報知を行う報知手段と、
前記被管理駅の前記起床報告時刻を記憶する記憶手段と、
ネットワークを介して前記起床報告信号を受信するよう構成され、前記記憶手段に記憶された前記起床報告時刻迄に前記起床報告信号を受信しない場合、前記報知手段を作動させる制御手段とを有する
ことを特徴とする請求項１に記載の起床確認支援システム。
【請求項３】
前記制御手段は、複数の被管理駅の駅係員からの前記起床報告信号を受信可能に構成されているとともに、それぞれの前記被管理駅の前記起床報告時刻迄に当該被管理駅の駅係員からの前記起床報告信号を受信しない場合、前記報知手段を作動させる
ことを特徴とする請求項２に記載の起床確認支援システム。
【請求項４】
前記被管理駅毎につき複数の候補時刻が前記記憶手段に記憶されており、前記複数の候補時刻の中から選択された一つが当該被管理駅の前記起床報告時刻として設定される
ことを特徴とする請求項２または３に記載の起床確認支援システム。
【請求項５】
前記報知手段がネットワークを介して前記制御手段に接続され、前記管理駅に設置されている
ことを特徴とする請求項２〜４のいずれかに記載の起床確認支援システム。
【請求項６】
被管理駅の駅係員の起床の確認を管理駅で支援する方法であって、
前記被管理駅の駅係員の操作により発信される起床報告信号の有無を判定する工程と、
前記被管理駅に設定された起床報告時刻の到来を判定する工程と、
前記起床報告信号の発信が無いと判定され且つ前記起床報告時刻が到来したと判定された場合、その旨を前記管理駅の駅係員に報知する工程とを備える
ことを特徴とする起床の確認を支援する方法。
【請求項７】
請求項６に記載の方法をコンピュータに実行させることを特徴とするコンピュータ実行可能なプログラム。
【請求項８】
請求項７に記載のプログラムを記録したことを特徴とするコンピュータで読み取り可能な記録媒体。
【発明の詳細な説明】
【技術分野】
【０００１】
本発明は、被管理駅の駅係員の起床の確認を管理駅で支援する、起床確認支援システムに関する。
【背景技術】
【０００２】
鉄道駅に配置される駅係員の人数は駅の規模に応じて異なり、小規模駅の中には一人の駅係員が配置される、いわゆる一人駅が存在する。このような一人駅における始業準備は、宿直する一人の駅係員が行うことになるが、もしも宿直の駅係員が寝過した場合、駅業務の始業が遅延し、乗客が駅構内に入れず所望の列車に乗車できなくなるおそれがある。
【０００３】
そこで従来は、このような一人駅を管理する管理駅の駅係員と、一人駅である被管理駅の駅係員とが連絡し合うことにより、起床の確認を実施していた。すなわち、被管理駅の駅係員は起床後、管理駅の駅係員に起床した旨を電話報告するよう定め、被管理駅からの電話報告があった場合は管理駅の駅係員は報告を受け確認票に記入し、電話報告が無い場合は管理駅の駅係員が被管理駅に電話して確認するという手続を採用し、この方法で始業遅延の防止の万全を図っていた。
【０００４】
しかし、管理駅の駅係員は、自駅における営業機器の立上げ、線路閉鎖解除確認、連動装置の始業点検、構内巡視等、始業準備に忙殺されがちであり、被管理駅からの電話報告が無い場合でも、失念されたままとなる場合もある。そして被管理駅の駅係員の寝過しが看過されることにより始業遅延が発生する。近年このような始業遅延が繰り返し報道され、社会問題化している。
【０００５】
このような事案が報道される度に、鉄道事業者には注意が喚起され、連絡の厳密化等の対策が実施されてきたが、根本的な解決に至らないという指摘があった。すなわち、従来採用されてきた、報告が無いことを異常として認識すべきという、人間の注意力に依存する確認方法では自ずと限界があり、連絡の厳密化等の対策だけでは再発を免れ得ないという指摘があった。
【０００６】
一方、災害時等に携帯型端末を用いて遠隔地から安否確認する技術が知られており（特許文献１参照）、この技術を被管理駅の駅係員と管理駅の駅係員との間に適用して起床確認を行うことも理論上では可能と考えられる。しかし、そのためには新たな設備投資が必要となる上、管理コストも上昇するという問題が生じる。
【先行技術文献】
【特許文献】
【０００７】
【特許文献１】特開２０１０−８７６８８号公報
【発明の概要】
【発明が解決しようとする課題】
【０００８】
そこで、本発明が解決しようとする課題は、簡易な構成でありながら、人間の注意力のみに依存することなく、被管理駅における駅係員の起床を管理駅で確認するのを支援する起床確認支援システムを提供することである。
【課題を解決するための手段】
【０００９】
本発明は、前記課題を解決するためになされたもので、請求項１に記載の発明は、被管理駅の駅係員の起床の確認を管理駅で支援するシステムであって、前記被管理駅の駅係員の操作により起床報告信号を発信する起床報告手段と、前記被管理駅毎に設定された起床報告時刻迄に前記起床報告信号が発信されない場合、その旨を前記管理駅の駅係員に知らせる起床情報処理手段とを備えることを特徴とする起床確認支援システムである。
【００１０】
請求項１に記載の発明によれば、被管理駅の駅係員からの起床報告がない旨が管理駅の駅係員に報知されることにより、被管理駅の起床確認が確実になされる起床確認支援システムを提供することができる。
【００１１】
請求項２に記載の発明は、前記起床情報処理手段が、前記管理駅の駅係員に報知を行う報知手段と、前記被管理駅の前記起床報告時刻を記憶する記憶手段と、ネットワークを介して前記起床報告信号を受信するよう構成され、前記記憶手段に記憶された前記起床報告時刻迄に前記起床報告信号を受信しない場合、前記報知手段を作動させる制御手段とを有することを特徴とする請求項１に記載の起床確認支援システムである。
【００１２】
請求項２に記載の発明によれば、鉄道駅に設置されているネットワークを利用することによって、容易に請求項１に係る起用確認支援システムを提供することができる。
【００１３】
請求項３に記載の発明は、前記制御手段は、複数の被管理駅の駅係員からの前記起床報告信号を受信可能に構成されているとともに、それぞれの前記被管理駅の前記起床報告時刻迄に当該被管理駅の駅係員からの前記起床報告信号を受信しない場合、前記報知手段を作動させることを特徴とする請求項２に記載の起床確認支援システムである。
【００１４】
請求項３に記載の発明によれば、複数の被管理駅からの起床報告の有無を管理駅の駅係員に報知することができ、複数の被管理駅の起床確認が確実になされる起床確認支援システムを提供することができる。
【００１５】
請求項４に記載の発明は、前記被管理駅毎につき複数の候補時刻が前記記憶手段に記憶されており、前記複数の候補時刻の中から選択された一つが当該被管理駅の前記起床報告時刻として設定されることを特徴とする請求項２または３に記載の起床確認支援システムである。
【００１６】
請求項４に記載の発明によれば、平日ダイヤ、休日ダイヤ等、適用されるダイヤによって起床報告時刻が異なる場合でも容易に起床報告時刻を設定することが可能な、起床確認支援システムを提供することができる。
【００１７】
請求項５に記載の発明は、前記報知手段がネットワークを介して前記制御手段に接続され、前記管理駅に設置されていることを特徴とする請求項２〜４のいずれかに記載の起床確認支援システムである。
【００１８】
請求項５に記載の発明によれば、制御手段および記憶手段と報知手段とを分離し、制御手段および記憶手段をサーバ等として管理駅以外に配置しつつも、報知手段を管理駅に配置することが可能な、起床確認支援システムを提供することができる。
【００１９】
請求項６に記載の発明は、被管理駅の駅係員の起床の確認を管理駅で支援する方法であって、前記被管理駅の駅係員の操作により発信される起床報告信号の有無を判定する工程と、前記被管理駅に設定された起床報告時刻の到来を判定する工程と、前記起床報告信号の発信が無いと判定され且つ前記起床報告時刻が到来したと判定された場合、その旨を前記管理駅の駅係員に報知する工程とを備えることを特徴とする起床の確認を支援する方法である。
【００２０】
請求項６に記載の発明によれば、被管理駅の駅係員からの起床報告信号が起床報告時刻迄に発信されない場合に、その旨が管理駅の駅係員に報知されるような、人間の注意力のみに依存することのない起床確認方法を提供することができる。
【００２１】
請求項７に記載の発明は、請求項６に記載の方法をコンピュータに実行させることを特徴とするコンピュータ実行可能なプログラムであり、請求項８に記載の発明は、請求項７に記載のプログラムを記録したことを特徴とするコンピュータで読み取り可能な記録媒体である。
【００２２】
請求項７および８に記載の発明によれば、請求項６に記載の方法をコンピュータに実行させることができる。
【発明の効果】
【００２３】
本発明によれば、被管理駅の駅係員からの起床報告がない旨が管理駅の駅係員に報知されることにより、被管理駅の起床確認が確実になされる起床確認支援システムを提供することができる。
【図面の簡単な説明】
【００２４】
【図１】本発明の実施形態に係る起床確認支援システムを示すブロック図である。
【図２】本発明に係る起床確認支援システムにおける記憶部に記憶された起床報告時刻テーブルを示す図である。
【図３】本発明に係る起床確認支援システムにおける管理駅端末の表示画面を示す図である。
【図４】本発明に係る起床確認支援システムにおける被管理駅端末の表示画面を示す図である。
【図５】本発明に係る起床確認支援システムにおける制御手段が行う処理の手順の一例を示すフローチャートである。
【図６】本発明に係る起床確認支援システムにおける制御手段が行う処理の手順の他の例を示すフローチャートである。
【発明を実施するための形態】
【００２５】
次に、本発明の実施形態について図面に基づき説明する。なお、以下に述べる実施形態は、本発明の好適な実施形態であるから、技術的に好ましい種々の限定が付されているが、本発明の範囲は、以下の説明において特に本発明を限定する旨の記載がない限り、これらの態様に限られるものではない。
【００２６】
本発明の実施形態に係る起床確認支援システムについて、図１に基づき説明する。図１は起床確認支援システムのブロック図である。図１に示す起床確認支援システムは、被管理駅たるＡ駅からＥ駅の駅係員の起床を、管理駅たるＦ駅にて確認する構成となっている。
【００２７】
符号１で示す起床確認支援システム１は、起床報告手段２、起床情報処理手段３およびネットワーク４を主たる構成要素としている。
【００２８】
起床報告手段２は被管理駅の駅係員の操作に係る手段であり、本実施形態においては、被管理駅たるＡ駅からＥ駅までにそれぞれ設置され、ネットワーク４に接続されている被管理駅端末２１ａ，・・・，２１ｅである。被管理駅にはそれぞれ起床報告時刻が設定されており、宿直の駅係員は起床後、起床報告時刻迄に被管理駅端末２１を用いて起床報告信号５１を発信する。
【００２９】
起床情報処理手段３は、被管理駅の駅係員の起床の状況を判断し管理駅の駅係員に報知する手段であり、制御手段３２、記憶手段３３および報知手段３４を有する。本実施形態においては、管理駅Ｆ駅に設置されネットワーク４に接続されている管理駅端末３１が、制御手段３２および記憶手段３３を有している。報知手段３４は、管理駅の駅係員に報知を行う手段であり、本実施形態では、ネットワーク４に接続された表示灯３４２および管理駅端末３１が備えるディスプレイ３４１である。表示灯３４２は、三色の点灯および点滅並びに鳴動により、視覚的および聴覚的にに報知可能に構成されている。記憶手段３３は、被管理駅それぞれの起床報告時刻を記憶する手段であり、本実施形態では管理駅端末３１が備える記憶装置３３１から成る。制御手段３２はネットワーク４を介して起床報告信号５１を受信するよう構成され、記憶手段３３に記憶された起床報告時刻迄に起床報告信号５１を受信しなければ、報知手段３４を作動させて管理駅の駅係員に報知するよう構成されている。本実施形態において制御手段３２は、管理駅端末３１のＣＰＵ３２１から成り、記憶装置３３１およびディスプレイ３４１と連動するよう構成されている。
【００３０】
ネットワーク４は、鉄道運行業務を行う上で必要な情報を駅に配信するのに用いられる情報配信網であり、被管理駅端末２１および管理駅端末３１が接続されている。
【００３１】
なお、起床報告時刻は始業時間に応じて決められるものであり、被管理駅毎に設定されている。そのため、一つの被管理駅は、適用されるダイヤに応じて異なる複数の起床報告時刻を有するので、記憶手段３３には、複数の被管理駅につき複数の起床報告時刻がテーブル形式で記憶されている。
【００３２】
次に、本実施形態に係る起床確認支援システム１における、各構成要素がどのように働くかについて説明する。
【００３３】
起床した被管理駅の駅係員は、被管理駅端末２１を操作し、起床報告信号５１を発信する。発信された起床報告信号５１は、ネットワーク４を介して管理駅端末３１のＣＰＵ３２１に到達する。
【００３４】
管理駅端末３１のＣＰＵ３２１は、予め記憶装置３３１に記憶された被管理駅の起床報告時刻を読み出しており、この起床報告時刻迄に起床報告信号５１を受信した場合は、管理駅の駅係員に対して特段の報知を行わない。しかし、起床報告時刻迄に起床報告信号５１を受信しなかった場合、すなわち、起床報告信号５１を受信するより前に起床報告時刻が到来した場合、報知手段３４たるディスプレイ３４１にその旨を表示させるとともに、同じく報知手段３４たる表示灯３４２にネットワーク４を介して作動指令信号５２を送出して表示灯３４２を作動させる
【００３５】
なお、本実施形態では報知手段３４として、管理駅端末３１のディスプレイ３４１と、ネットワーク４に接続された表示灯３４２とを併用しているが、何れか一方のみとすることも可能である。表示灯３４２を使用しない場合、スピーカー等を管理駅端末３１に接続し、ディスプレイ３４１の表示とともにスピーカーを鳴動させると、確実な報知が可能となるため好適である。
【００３６】
また、報知手段３４は管理駅の駅係員に対する報知に供する手段であるため、表示灯３４２が管理駅の駅務室に配置されるような場合、制御手段３２および記憶手段３３として、管理駅端末３１のＣＰＵ３２１および記憶装置３３１に限られず、ネットワーク４に接続されたその他の端末やサーバーに存するＣＰＵおよび記憶装置を使用することも可能である。
【００３７】
次に、本実施形態における記憶手段３３である記憶装置３３１に記憶されている、被管理駅の起床報告時刻テーブル６について、図２に基づき説明する。
【００３８】
起床報告時刻テーブル６は、複数の被管理駅と複数の起床報告時刻パターンとを組み合わせた表となっている。すなわち起床報告時刻テーブル６は、被管理駅の一覧である被管理駅欄６１と、それぞれの被管理駅についての平日ダイヤ適用時の起床報告時刻である平日ダイヤ欄６２、休日ダイヤ適用時の起床報告時刻である休日ダイヤ欄６３、および越年ダイヤ適用時の起床報告時刻である越年ダイヤ欄６４とを有している。さらに将来のダイヤの追加に備えた予備欄６５に定義することが可能となっている。
【００３９】
これら複数の候補時刻パターンの中から、当日適用されるダイヤの種類に応じて選択された一つのパターンが、各被管理駅の起床報告時刻として設定される。すなわち、被管理駅毎に起床報告時刻を再設定することなく、一括して設定することが可能となる。
【００４０】
次に、図３に示す管理駅端末の表示画面と、図４に示す被管理駅端末の表示画面とを用い、被管理駅の駅係員と管理駅の駅係員との間にどのような情報が伝達されるかについて説明する。
【００４１】
まず、本実施形態における管理駅端末３１の表示画面について、図３に基づき説明する。管理駅３１のディスプレイ３４１には、管理駅端末画面７が表示される。当該管理駅の駅名７１が左上部に表示されているとともに、選択されている起床報告時刻パターン７２が上部中央に、現在時刻７３が右上部に表示されている。そして画面中央部には、被管理駅欄７４、各被管理駅の起床報告時刻欄７５、各被管理駅からの起床報告欄７６および始業点検完了報告欄７７が、表形式で表示されている。ここで、起床報告時刻パターン７２の表示より、図２の起床報告時刻のテーブルに示した「平日ダイヤ」が選択されていることが確認できる。起床報告時刻パターンは、別の設定画面により選択することも可能であり、当日の曜日により自動的に選択されるよう構成することも可能である。
【００４２】
図３（ａ）は、４時３５分時点における管理駅端末画面７である。この時点においては、最も早く起床報告時刻が到来するＡ，Ｂ駅の起床報告時刻の５分前より前であり、何れの被管理駅からも起床報告がなされておらず、起床報告欄７６は何れの被管理駅についても白地に黒文字で「未報告」と表示されている。
【００４３】
図３（ｂ）は、４時３８分時点における管理駅端末画面７である。この時点でＢ駅より起床報告が到達している。そのため、起床報告欄７６のＢ駅の欄は、白地に黒文字での「未報告」から、青字に白抜きで表示された起床報告のあった時刻に変化する。
【００４４】
図３（ｃ）は、４時５０分時点における管理駅端末画面７である。この時点までに既にＡ，Ｂ，Ｃ，Ｅ駅より起床報告があり、起床報告欄７６の該当欄は、いずれも、青字に白抜きで表示された起床報告のあった時刻となっている。一方、Ｄ駅からはまだ起床報告がなされておらず、さらに現在時刻はＤ駅の起床報告時刻の５分前となっている。このとき起床報告欄７６のＤ駅の欄は、白地に黒文字での「未報告」から、黄色地に黒文字での「未報告」に変化するとともに、表示灯３４２が黄色点滅し断続音が鳴動して、予備的な報知がなされる。これにより、管理駅の駅係員は、被管理駅の駅係員から起床報告時刻迄に起床報告がなされない事態に対して、予め備えることが可能になる。
【００４５】
図３（ｄ）は、４時５５分時点における管理駅端末画面７である。この時点でもＤ駅からはまだ起床報告がなされておらず、さらにＤ駅の起床報告時刻が到来している。このとき起床報告欄７６のＤ駅の欄は、黄色地に黒文字での「未報告」から、赤地に白文字での「未報告」に変化するとともに、表示灯３４２が赤色点滅し急速断続音が鳴動して、報知がなされる。これにより、管理駅の駅係員に、被管理駅の駅係員から起床報告時刻迄に起床報告がなされなかった旨が確実に報知される。これを受けて管理駅の駅係員は、被管理駅Ｄ駅に確認の電話を掛ける等、所定の行動を起こすことになる。
【００４６】
なお、始業点検完了報告欄７７については、被管理駅端末の表示画面の説明とともに後述する。
【００４７】
次に、本実施形態における被管理駅端末２１の表示画面について、図４に基づき説明する。図４（ａ），（ｂ）はそれぞれ、４時３５分と４時３８分とにおけるＢ駅の被管理駅端末２１ｂの表示画面を示しており、図４（ｃ），（ｄ）はそれぞれ、４時５０分と４時５５分とにおけるＤ駅の被管理駅端末２１ｄの表示画面を示している。
【００４８】
被管理駅端末２１のディスプレイには、被管理駅端末画面８が表示される。当該被管理駅の駅名８１が左上部に表示されているとともに、管理駅端末３１にて選択され設定されている起床報告時刻パターン８２と、当該起床報告時刻パターン８２における当該被管理駅の起床報告時刻８３とが、画面右上に表示されている。そして画面中央部に起床報告ボタン８４と始業点検完了報告ボタン８５とが上下に並んで表示されている。起床報告ボタン８４がクリックされることにより、起床報告信号５１が管理駅端末にむけ送信される。
【００４９】
図４（ａ）は、起床報告時刻の５分前より前の段階での被管理駅端末画面８である。この段階で起床報告ボタン８４をクリックすると、図４（ｂ）に示すように起床報告ボタン８４が青地に白抜きの表示となり、起床報告が終了したことが表示される。なお、図４（ｂ）は、図３（ｂ）と同時刻における被管理駅端末２１の画面表示を示したものである。
【００５０】
もし、起床報告時刻の５分前となっても起床報告されない場合、図４（ｃ）に示すように、起床報告ボタン８４は黄色地に変化して、速やかに起床報告を行うよう駅係員に促す。なお、これと同時刻の管理駅端末３１の画面表示は、図３（ｃ）に示された通りであり、管理駅の駅係員に対して予備的な報知がなされている。
【００５１】
そして起床報告時刻となっても起床報告されない場合、図４（ｄ）に示すように、起床報告ボタン８４が赤地に白抜きの表示に変化する。なお、これと同時刻における管理駅端末３１の表示画面は図３(ｄ)に示されており、管理駅の駅係員に対して起床報告時刻迄に起床報告が無い旨が報知されている。
【００５２】
なお、本実施形態においては、起床報告時刻の５分前になっても起床報告がなされない場合、管理駅の駅係員に対しては注意を促すため予備的な報知が報知手段３４を介してなされ（図３（ｃ）参照）、また被管理駅の駅係員に対しては起床報告を促すための表示が被管理駅端末画面８を介してなされる（図４（ｃ）参照）。このような予備的な報知の採否、および起床報告時刻の何分前に予備的な報知を行うかは、任意に設定できることは言うまでもない。
【００５３】
また、図４に示す通り被管理駅端末画面８には始業点検完了報告ボタン８５が存在し、図３に示す通り管理駅端末画面７には始業点検完了報告欄７３が存在するように、本実施形態は、起床報告と同様の手法で、被管理駅における始業点検完了時刻を管理駅で管理できる形態になっている。しかし、所定の時刻までに始業点検完了報告がない場合に報知手段３４を作動させることはない。勿論、起床報告と全く同様に、始業点検完了報告の場合も報知手段３４を作動させるよう構成することも可能である。
【００５４】
次に、本実施形態の起床確認支援システム１における、制御手段３２たるＣＰＵ３２１が行う処理フローについて、図５，６および図１に基づき説明する。図５，６に示す処理のフローチャートは、複数の被管理駅のうち一の被管理駅について起床確認支援を行う処理フローである。図５は、起床報告が無いまま起床報告時刻が到来した場合にのみ報知手段を作動させる処理フローであるが、図６は、起床報告が無いまま起床報告時刻の５分前が到来した場合、まず予備的な報知を行う処理フローになっており、図３，図４に示して説明した本実施形態において採用している処理フローである。
【００５５】
まず図５に示す処理フローについて説明する。起床確認支援システム１の作動の開始（Ｓ１）の後、ＣＰＵ３２１は記憶装置３３１に記憶されている被管理駅の起床報告時刻を読み込む（Ｓ２）。その後ＣＰＵ３２１は、当該被管理駅からの起床報告信号５１の受信の有無を判定する（Ｓ３）。ここで起床報告信号５１を受信したと判定された場合（Ｓ３，ＹＥＳ）は、当該被管理駅の起床確認支援の処理についてはそのまま終了する（Ｓ８）。起床報告信号５１を受信していないと判定された場合（Ｓ３，ＮＯ）は次に、起床報告時刻が到来したか否か、すなわち現在時刻が起床報告時刻となったか否かを判定する（Ｓ４）ステップに進む。ここで起床報告時刻が到来していないと判定された場合（Ｓ４，ＮＯ）、再度ステップＳ３に戻る。起床報告時刻が到来したと判定された場合（Ｓ４，ＹＥＳ）は、その旨を管理駅の駅係員に報知するべく、報知手段３４に作動指令信号５２を送信して報知手段を作動させる（Ｓ５）。
【００５６】
報知手段３４が作動した後もなおＣＰＵ３２１が起床報告信号５１を受信しなければ、報知手段３４は作動を継続させるが（Ｓ６，ＮＯ）、起床報告信号５１を受信すると（Ｓ６，ＹＥＳ）報知手段３４を停止させ（Ｓ７）、当該被管理駅の起床確認支援の処理を終了する（Ｓ８）。
【００５７】
なお、報知手段３４が作動するのは起床報告信号５１が受信されず、且つ起床報告時刻が到来した場合であるため、Ｓ３の判定ステップとＳ４の判定ステップとを順序を入れ替えて構成することも可能である。また、報知手段３４が作動した後の処理フローは、本実施形態では上記のよう構成しているが、任意に規定することができる。
【００５８】
次に図６に示す処理フローについて説明する。起床確認支援システム１の作動の開始（Ｓ１）の後、図５の処理フローと同様に、ＣＰＵ３２１は記憶装置３３１に記憶されている被管理駅の起床報告時刻を読み込む（Ｓ２）。その後ＣＰＵ３２１は、当該被管理駅からの起床報告信号５１の受信の有無を判定する（Ｓ１０）。ここで起床報告信号５１を受信したと判定された場合（Ｓ１０，ＹＥＳ）は、当該被管理駅の起床確認支援の処理についてはそのまま終了する（Ｓ８）。起床報告信号５１を受信していないと判定された場合（Ｓ１０，ＮＯ）は次に、起床報告時刻の５分前が到来したか否か、すなわち現在時刻が起床報告時刻の５分前となったか否かを判定するステップ（Ｓ１１）に進む。ここで起床報告時刻の５分前が到来していないと判定された場合（Ｓ１１，ＮＯ）、再度ステップＳ１０に戻る。起床報告時刻の５分前が到来したと判定された場合（Ｓ１１，ＹＥＳ）は、管理駅の駅係員に対して注意を促すための予備的な報知が報知手段３４を介してなされる（Ｓ１２）。なお、この予備的な報知は、図３，４を用いて説明したように、起床報告時刻となっても起床報告されない場合になされる報知とは、明確に識別されるよう構成されている。
【００５９】
予備的な報知を作動させた後のフローは、図５に示す処理フローのステップＳ３からＳ８までと同様である。ただし、ステップＳ３にて起床報告信号を受信した場合（Ｓ３，ＹＥＳ）、予備報知の作動を停止させ（Ｓ１３）、その後当該被管理駅の起床確認支援の処理を終了するよう構成されている。
【００６０】
なお、上記の一の被管理駅についての処理フローは、全ての被管理駅について各々同時並行で実行することにより、複数の被管理駅の起床確認支援を同時に行うことができることは言うまでもない。
【００６１】
なお、被管理駅端末２１および管理駅端末３１をネットワーク４で結んだシステムは、鉄道運行に必要な情報配信に用いられる情報配信網を兼用することも可能である。また、被管理駅端末２１および管理駅端末３１は、好適にはパーソナルコンピュータが用いられるが、携帯電話、携帯端末とすることも可能である。
【符号の説明】
【００６２】
１  起床確認支援システム
２  起床報告手段
２１  被管理駅端末
３  起床情報処理手段
３１  管理駅端末
３２  制御手段
３２１  ＣＰＵ
３３  記憶手段
３３１  記憶装置
３４  報知手段
３４１  ディスプレイ
３４２  表示灯
４  ネットワーク
５１  起床報告信号
５２  作動指令信号
６  起床報告時刻テーブル
７  管理駅端末画面
８  被管理駅端末画面
【図１】
2012098904.tif 000003
【図２】
2012098904.tif 000004
【図３】
2012098904.tif 000005
【図４】
2012098904.tif 000006
【図５】
2012098904.tif 000007
【図６】
2012098904.tif 000008